(57)【要約】【課題】代替周波数データにおける放送局の種別が誤っている場合であっても放送局の切替精度を向上させることができ、不要な無音状態を低減することができるラジオ受信機を提供すること。【解決手段】ラジオ受信機は、代替周波数データを取得するＡＦデータ取得部４２と、代替周波数データに基づいて全国放送局と地方放送局の両方を切替対象に設定してその中から一つを選択するＡＦ選択部４３と、選択された放送局が全国放送局であるか地方放送局であるかを実際に番組識別データを取得して判定する放送局判定部４４と、地方放送局であると判定されたときにＡＦ選択部４３における切替対象からこの放送局を所定期間除外する設定を行うＡＦ制限部４５を備えている。【選択図】図１
2013162162.tif 000002
【特許請求の範囲】
【請求項１】
受信中の放送信号と同じ番組を放送する第１の放送局の第１の周波数情報と第２の放送局の第２の周波数情報とを含む代替周波数データが重畳された前記放送信号を受信するラジオ受信機において、
放送信号を受信する放送信号受信手段と、
前記放送信号に対応する音声を出力する音声出力手段と、
前記放送信号に含まれる前記代替周波数データを取得する代替周波数データ取得手段と、
前記代替周波数データに基づいて、前記第１および第２の周波数情報の両方を切替対象に設定し、その中から一つを選択する代替周波数選択手段と、
前記代替周波数選択手段によって選択された周波数の放送信号の受信を前記放送信号受信手段に指示して、この周波数の放送局が前記第１の放送局であるか前記第２の放送局であるかを判定する放送局判定手段と、
前記放送局判定手段によって前記第２の放送局である旨の判定が行われたときに、前記代替周波数選択手段における切替対象から、この第２の放送局に対応する周波数情報を所定期間除外する設定を行う切替周波数制限手段と、
を備えることを特徴とするラジオ受信機。
【請求項２】
請求項１において、
前記放送信号の受信状態を検出する受信状態検出手段をさらに備え、
前記代替周波数選択手段は、受信中の前記放送信号の受信状態が悪化したことが前記受信状態検出手段によって検出されたときに周波数情報の選択を行うことを特徴とするラジオ受信機。
【請求項３】
請求項２において、
前記受信状態検出手段は、切替対象となる前記第１および第２の周波数情報のそれぞれの放送信号の受信状態を検出し、
前記代替周波数選択手段は、前記受信状態検出手段によって検出された受信状態が最も良好な前記第１および第２の周波数情報のいずれかを選択することを特徴とするラジオ受信機。
【請求項４】
請求項１〜３のいずれかにおいて、
前記放送局判定手段によって前記第１の放送局である旨の判定が行われたときに、この第１の放送局に対応する周波数情報に基づいて受信周波数を切り替える指示を前記放送信号受信手段に対して行う選局処理手段をさらに備えることを特徴とするラジオ受信機。
【請求項５】
請求項１〜４のいずれかにおいて、
前記音声出力手段は、前記放送局判定手段による判定が行われているときに出力の無音状態を維持することを特徴とするラジオ受信機。
【請求項６】
請求項１〜５のいずれかにおいて、
前記代替周波数データは、ラジオ・データ・システムの放送信号に含まれることを特徴とするラジオ受信機。
【請求項７】
請求項６において、
前記第１の放送局は全国放送局であり、前記第２の放送局は地方放送局であることを特徴とするラジオ受信機。
【請求項８】
請求項６または７において、
前記放送局判定手段は、放送信号に含まれる番組識別データを取得することにより、放送局が前記第１の放送局であるか前記第２の放送局であるかを判定することを特徴とするラジオ受信機。
【請求項９】
請求項８において、
前記放送局判定手段は、前記代替周波数選択手段によって選択された周波数の放送信号に含まれる番組識別データが、受信中の放送信号に含まれる番組識別データと同じであるときに、放送局が前記第１の放送局である旨の判定を行うことを特徴とするラジオ受信機。
【請求項１０】
請求項１〜９のいずれかにおいて、
前記放送信号受信手段は、１つの放送信号を受信するシングルチューナ構成を有することを特徴とするラジオ受信機。
【発明の詳細な説明】
【技術分野】
【０００１】
本発明は、ＲＤＳ（Radio Data System）等のラジオ受信機に関する。
【背景技術】
【０００２】
従来から、ＲＤＳのメソッドＢによるＡＦデータ（代替周波数データ）を受信し、現在受信中の放送信号の受信状態が悪化したときに同一内容の他の放送信号に切り替えるようにした車載用ラジオ受信機が知られている（例えば、特許文献１参照。）。この車載用ラジオ受信機において切替対象となる受信周波数の放送局には全国放送局（ナショナル局、非ローカル放送局）と地方放送局（リジョナル局、ローカル放送局）とが含まれる。全国放送局は、同一番組を放送する放送局である。一方、地方放送局は、同一系列の放送局であって必ずしも番組の内容が同じであるとは限らない。この車載用ラジオ受信機では、代替周波数が地方放送局の周波数である場合にこの代替周波数への切り替えを禁止することにより、確実に同じ放送内容を受信することができる。
【先行技術文献】
【特許文献】
【０００３】
【特許文献１】実公平６−３１７８２号公報
【発明の概要】
【発明が解決しようとする課題】
【０００４】
ところで、特許文献１に開示された車載用ラジオ受信機等では、ＡＦデータに基づいて代替周波数が地方放送局の周波数であるか否かを判定しているが、ＡＦデータによる指定が地方放送局であるにもかかわらず実際には全国放送局であったり、ＡＦデータによる指定が全国放送局であるにもかかわらず実際には地方放送局であったりする場合があり、ＡＦデータのみでは地方放送局であるか否かを正確に判定することができなかった。したがって、以下の問題が生じていた。
【０００５】
（１）ＡＦコードに基づいて地方放送局を判定し、切り替え対象の放送局からこの地方放送局を除外すると、実際はこの地方放送局が受信状態が良好な全国放送局であってもこの全国放送局に切り替えることができない。
【０００６】
（２）ＡＦコードに含まれる地方放送局と全国放送局の両方を切り替え対象にした場合には、この地方放送局を選択する際にその内容確認する（同一内容であるか否かをＰＩコードを取得して確認する）際に出力音を無音にする必要があり、本当に地方放送局であった場合に無駄に無音状態が発生する。
【０００７】
（３）地方放送局についても一度だけ内容確認を行い、本当に地方放送局であった場合にはそれ以降の切り替え対象から除外するようにすると、同一周波数で地方放送局と全国放送局とを切り替える場合に対応することができない。
【０００８】
本発明は、このような点に鑑みて創作されたものであり、その目的は、代替周波数データにおける放送局の種別が誤っている場合であっても放送局の切替精度を向上させることができ、不要な無音状態を低減することができるラジオ受信機を提供することにある。
【課題を解決するための手段】
【０００９】
上述した課題を解決するために、本発明のラジオ受信機は、受信中の放送信号と同じ番組を放送する第１の放送局の第１の周波数情報と第２の放送局の第２の周波数情報とを含む代替周波数データが重畳された放送信号を受信するラジオ受信機において、放送信号を受信する放送信号受信手段と、放送信号に対応する音声を出力する音声出力手段と、放送信号に含まれる代替周波数データを取得する代替周波数データ取得手段と、代替周波数データに基づいて、第１および第２の周波数情報の両方を切替対象に設定し、その中から一つを選択する代替周波数選択手段と、代替周波数選択手段によって選択された周波数の放送信号の受信を放送信号受信手段に指示して、この周波数の放送局が第１の放送局であるか第２の放送局であるかを判定する放送局判定手段と、放送局判定手段によって第２の放送局である旨の判定が行われたときに、代替周波数選択手段における切替対象から、この第２の放送局に対応する周波数情報を所定期間除外する設定を行う切替周波数制限手段とを備えている。
【００１０】
代替周波数データに含まれる放送局の種別（第１あるいは第２の放送局）が誤っている場合であっても、両方の放送局を切替対象に含めることにより、確実に第１の放送局に切り替えることができ、放送局の切替精度を向上させることができる。また、選択した放送局が第２の放送局であった場合に、この放送局を切替対象から所定期間除外することにより、この放送局が第１の放送局であるか第２の放送局であるかの判定を頻繁に行わずに済むため、無駄な確認の手間を減らすことができる。さらに、切替対象から除外する期間を所定期間とすることにより、一旦切替対象から除外した放送局（周波数情報）を再度切替対象に戻すことができ、同じ周波数で第１の放送局と第２の放送局とが切り替わる場合であっても確実に第１の放送局に切り替えることができ、放送局の切替精度をさらに向上させることができる。
【００１１】
また、上述した放送信号の受信状態を検出する受信状態検出手段をさらに備え、代替周波数選択手段は、受信中の放送信号の受信状態が悪化したことが受信状態検出手段によって検出されたときに周波数情報の選択を行うことが望ましい。また、上述した受信状態検出手段は、切替対象となる第１および第２の周波数情報のそれぞれの放送信号の受信状態を検出し、代替周波数選択手段は、受信状態検出手段によって検出された受信状態が最も良好な第１および第２の周波数情報のいずれかを選択することが望ましい。さらに、上述した放送局判定手段によって第１の放送局である旨の判定が行われたときに、この第１の放送局に対応する周波数情報に基づいて受信周波数を切り替える指示を放送信号受信手段に対して行う選局処理手段をさらに備えることが望ましい。これにより、車両等に搭載されて移動中に受信状態が悪化したときに、受信状態が良好な第１の放送局の放送信号に切り替えて同一内容の番組の音声出力を維持することができる。
【００１２】
また、上述した音声出力手段は、放送局判定手段による判定が行われているときに出力の無音状態を維持することが望ましい。これにより、番組内容を確認中に異なる番組の音声が断片的に出力されることを防止することができるとともに、無駄な出力音声の無音状態が繰り返されることを回避することが可能となる。
【００１３】
また、上述した代替周波数データは、ラジオ・データ・システムの放送信号に含まれることが望ましい。また、第１の放送局は全国放送局であり、第２の放送局は地方放送局であることが望ましい。これにより、本発明の動作を行うために必要な代替周波数データを容易に取得することができる。
【００１４】
また、上述した放送局判定手段は、放送信号に含まれる番組識別データを取得することにより、放送局が第１の放送局であるか第２の放送局であるかを判定することが望ましい。また、放送局判定手段は、代替周波数選択手段によって選択された周波数の放送信号に含まれる番組識別データが、受信中の放送信号に含まれる番組識別データと同じであるときに、放送局が第１の放送局である旨の判定を行うことが望ましい。これにより、同じ全国放送局であるか否か、すなわち同じ番組内容を有するか否かの判定を、番組識別データを用いて容易に行うことができる。
【００１５】
また、上述した放送信号受信手段は、１つの放送信号を受信するシングルチューナ構成を有することが望ましい。これにより、バックグラウンド処理ができないシングルチューナ構成を採用した場合であっても、精度よく代替周波数の放送局への切り替えを行うことが可能となる。
【図面の簡単な説明】
【００１６】
【図１】一実施形態のラジオ受信機の構成を示す図である。
【図２】ＲＤＳデータの基本的ベースバンドコーディング構造の説明図である。
【図３】ＡＦリストの具体例を示すである。
【図４】受信中の放送信号から代替周波数データを取得し、この放送信号の受信状態が悪化したときに番組内容が同一の全国放送局に選局を切り替える動作手順を示す流れ図である。
【図５】代替周波数データを取得して放送局を切り替える動作の説明図である。
【発明を実施するための形態】
【００１７】
以下、本発明を適用した一実施形態のラジオ受信機について、図面を参照しながら説明する。図１は、一実施形態のラジオ受信機の構成を示す図である。図１に示すラジオ受信機は、車両に搭載されてＲＤＳ放送を受信するためのものであり、アンテナ１０、フロントエンド（Ｆ／Ｅ）１２、中間周波増幅器（ＩＦＡ）１４、Ｓメータ（シグナルメータ）１６、復調部２０、増幅器２２、スピーカ２４、ＲＳデコーダ３０、制御部４０、ＡＦリスト格納部５０、表示部６０、操作部６２を含んで構成されている。このラジオ受信機は、１つの放送信号を受信するシングルチューナ構成を有している。
【００１８】
ＲＤＳ放送は、１９ｋＨｚのステレオパイロット信号の３次高調波である５７ｋＨｚを副搬送波とし、フィルタリングおよび２相コード化された番組関連情報や交通情報関連等のデータを示すデータ信号により、副搬送波を振幅変調してラジオデータ（ＲＤＳデータ）とし、この振幅変調された副搬送波を主搬送波に周波数変調して放送している。
【００１９】
図２は、ＲＤＳデータの基本的ベースバンドコーディング構造の説明図である。図２に示すように、ＲＤＳデータは、１０４ビットを１グループとするグループ単位で構成され、各グループはそれぞれ４ブロック（Ａ、Ｂ、Ｃ、Ｄ）からなり、１ブロックは１６ビットの情報語（ｍ０〜ｍ１５）と１０ビットの検査語およびオフセット語（Ｃ’０〜Ｃ’９）とから構成されている。
【００２０】
ブロックＡには、国名データや番組データからなるネットワークを示す番組識別データ（ＰＩコード：Program Identification Code）が配置される。ブロックＢには、交通情報番組を放送する交通情報放送局であることを示す交通情報放送局識別データ（ＴＰコード：Traffic program Identification code）や番組の種類を示す番組内容識別データ（ＰＴＹコード：Program Type code）が配置される。ブロックＣには、同一番組を放送しているネットワーク局群の各局の周波数に関するデータ、すなわち代替周波数データ（ＡＦデータ：Alternative Frequency code）が配置される。本実施形態では、メソッドＢによる代替周波数データを受信するものする。この代替周波数データには、受信中の放送信号と同じ番組を放送する全国放送局の受信周波数と、同一系列の地方放送局の受信周波数の両方が含まれているとともに、各受信周波数が２種類の放送局のいずれに対応するものであるかを示す識別情報が含まれている。ブロックＤには、放送局名やネットワーク名等の放送局名データ（ＰＳデータ：Program Service code）が配置される。
【００２１】
フロントエンド１２は、アンテナ１０を介して受信した放送信号の中から所望の放送信号を抽出するとともに周波数変換を行ってこの放送波に対応するＩＦ信号（中間周波信号）を生成する。中間周波増幅器１４は、フロントエンド１２から出力されたＩＦ信号を増幅する。Ｓメータ１６は、中間周波増幅器１４から出力されるＩＦ信号の信号強度、すなわちフロントエンド１２で受信した放送信号の電界強度を検出する。
【００２２】
復調部２０は、中間周波増幅器１４から入力されるＩＦ信号に基づいてＦＭ復調処理およびステレオ復調処理を行う。ＦＭ復調された後のデータには、番組識別データ（ＰＩ）や代替周波数データ（ＡＦ）などを含むＲＤＳデータが重畳されている。復調部２０によってステレオ復調されたオーディオ信号は、増幅器２２によって増幅されてスピーカ２４からオーディ音が出力される。
【００２３】
ＲＤＳデコーダ３０は、復調部２０によってＦＭ復調されたデータに対して所定のデコード処理を行ってＲＤＳデータを復元する。また、ＲＤＳデコーダ３０には、ＲＤＳデータの誤りをブロック同期を取りながら検出し、その誤りを訂正する動作を行う。なお、通常は、ＲＤＳデータの誤り検出および訂正動作はＲＤＳデータのデコード処理とは別であって、別の誤り検出・訂正部が備わっている。
【００２４】
制御部４０は、ラジオ受信機全体を制御する。この制御部４０は、ＣＰＵおよびＲＡＭ、ＲＯＭ等によって構成されており、所定のプログラムを実行することにより各種の動作を行う。例えば、番組を選択して受信する選局動作や、受信中の放送信号の受信状態が悪化したときに同じ内容の番組を放送している他の放送局に切り替える代替放送局切替動作などが制御部４０の制御によって行われる。このために、制御部４０は、選局処理部４１、ＡＦデータ取得部４２、ＡＦ選択部４３、放送局判定部４４、ＡＦ制限部４５、ミュート処理部４６を備えている。
【００２５】
選局処理部４１は、操作部６２を用いて利用者によって受信番組が指定されたときに、この受信番組に対応する受信周波数の設定をフロントエンド１２に対して行う。ＡＦデータ取得部４２は、受信中の放送信号に含まれる代替周波数データ（ＡＦデータ）を取得する。上述したように、この代替周波数データには、受信中の放送信号と同じ番組を放送する全国放送局の受信周波数と、同一系列の地方放送局の受信周波数の両方が含まれているとともに、各受信周波数が２種類の放送局のいずれに対応するものであるかを示す識別情報が含まれており、ＡＦデータ取得部４２は、このＡＦデータにさらに複数のデータを付加した代替周波数リスト（ＡＦリスト）を作成する。作成された代替周波数リストは、ＡＦリスト格納部５０に格納される。
【００２６】
図３は、ＡＦリスト格納部５０に格納されたＡＦリストの具体例を示すである。図２に示すように、ＡＦリストには、周波数、タイプ、環境、Ｒフラグ、タイマ設定の５つの項目が含まれている。「周波数」は、取得したＡＦデータに含まれる受信周波数である。「タイプ」は、取得したＡＦデータに含まれる放送局の識別情報であり、Ｎが全国放送局を、Ｒが地方放送局を示している。「環境」は、各受信周波数の放送信号の受信状態を示しており、所定のタイミング（例えば一定周期）で、Ｓメータ１６の出力レベルが高い順に「良好」、「同等」、「悪」の３種類が示される。なお、同等とはその時点で受信中の放送信号の受信状態と同レベルの意味であり、良好および悪のそれぞれは受信中の放送信号の受信状態よりも良好あるいは悪い状態を示している。「Ｒフラグ」は、その受信周波数の放送局が地方放送局であることが確認されたときに「１」にセットされ、未確認のときに「０」を維持する。「タイマ設定」は、タイマ動作の有効／無効を示すものであり、Ｒフラグがセットされた時点でタイマ動作が有効になる。このとき、例えば初期値「６０」が設定され、以後、１秒経過毎に１がカウントダウンされ、値が０になったときにタイマ動作が再び無効「−」になる。「Ｒフラグ」や「タイマ設定」の具体的な使い方については後述する。
【００２７】
なお、「中身」は、その受信周波数の放送局が本当は全国放送局であるか地方放送局であるかを示すものであり、Ｎが全国放送局を、Ｒが地方放送局を示している。この情報は、説明のために付されたものであり、実際のＡＦリストには含まれない。ＡＦデータで示された識別情報（タイプ）が全国放送局（Ｎ）を示しているが本当は地方放送局（Ｒ）であったり、反対に識別情報が地方放送局（Ｒ）を示しているが本当は全国放送局（Ｎ）である場合がある。
【００２８】
ＡＦ選択部４３は、受信中の放送信号の受信状態が悪化したとき（Ｓメータ１６の出力レベルが所定値を下回ったとき）に、受信中の放送信号の受信状態よりも良好な受信状態の放送信号をＡＦリストに基づいて選択する。全国放送局と地方放送局を含む全ての放送局の受信周波数の中から、受信中の放送信号よりも受信状態が良好な１つの放送局の受信周波数が選択される。
【００２９】
放送局判定部４４は、ＡＦ選択部４３によって選択された受信周波数の放送信号の受信をフロントエンド１２に対して指示して、この周波数の放送局が実際には全国放送局であるか地方放送局であるかを判定する。具体的には、実際に受信した放送信号に含まれる番組識別データ（ＰＩコード）を取得し、この取得した番組識別データが受信中の放送信号の番組識別データと同じであるか否かを調べるＰＩチェックを行い、同じである場合には全国放送局であると判定し、異なる場合には地方放送局であると判定する。
【００３０】
ＡＦ制限部４５は、放送局判定部４４によって地方放送局である旨の判定が行われたときに、ＡＦ選択部４３における切替対象から、この地方放送局に対応する受信周波数を所定期間除外する設定を行う。具体的には、ＡＦ制限部４５は、図３に示したＡＦリストに含まれる「Ｒフラグ」を「１」にセットするとともに、「タイマ設定」を初期値「６０」に設定する。
【００３１】
ミュート処理部４６は、ＡＦ選択部４３、放送局判定部４４、ＡＦ制限部４５のそれぞれの動作と並行して、復調部２０に指示を送ってスピーカ２４から出力されるオーディオ音を無音状態にする。
【００３２】
上述したアンテナ１０、フロントエンド１２が放送信号受信手段に、中間周波増幅器１４、復調部２０、増幅器２２、スピーカ２４が音声出力手段に、ＡＦデータ取得部４２が代替周波数データ取得手段に、ＡＦ選択部４３が代替周波数選択手段に、放送局判定部４４が放送局判定手段に、ＡＦ制限部４５が切替周波数制限手段に、Ｓメータ１６が受信状態検出手段に、選局処理部４１が選局処理手段にそれぞれ対応する。
【００３３】
本実施形態のラジオ受信機はこのような構成を有しており、次にその動作を説明する。図４は、受信中の放送信号から代替周波数データを取得し、この放送信号の受信状態が悪化したときに番組内容が同一の全国放送局に選局を切り替える動作手順を示す流れ図である。車両走行時にいずれかの放送信号を受信中（ステップ１００）に、ＡＦデータ取得部４２はＡＦデータ（代替周波数データ）を取得し（ステップ１０２）、ＡＦリスト（代替周波数リスト）を作成する（ステップ１０４）。作成されたＡＦリストはＡＦリスト格納部５０に格納される。
【００３４】
次に、ＡＦ選択部４３は、ＡＦリストに含まれる全ての受信周波数を対象に受信状態（Ｓメータ１６の出力レベル）を調べるＡＦチェックを実施する（ステップ１０６）。このＡＦチェックの結果に基づいて、ＡＦリストの「環境」の項目が更新される。次に、ＡＦ選択部４３は、受信中の放送波の受信状態（Ｓメータ１６の出力レベル）を調べて受信状態が所定値よりも悪化したか否かを判定する（ステップ１０８）。悪化していない場合には否定判断が行われ、選局処理部４１は、利用者が操作部６２を操作して放送局の切り替えを指示したか否かを判定する（ステップ１１０）。放送局の切り替えが指示されていない場合には否定判断が行われ、ステップ１０６に戻ってＡＦチェック動作以降が繰り返される。また、放送局の切り替えが指示された場合にはステップ１１０の判定において肯定判断が行われ、ステップ１００に戻って、切り替え後の放送波の放送信号の受信動作が行われる。
【００３５】
また、受信中の放送信号の受信状態が悪化してステップ１０８の判定において肯定判断が行われると、次に、ＡＦ選択部４３は、ＡＦリストの中から、受信状態が「良好」でＲフラグがセットされていない放送局があるか否かを判定する（ステップ１１２）。ＡＦリストにこのような条件の放送局が含まれない場合には否定判断が行われ、ステップ１０６に戻って、現在の放送信号の受信を維持した状態でＡＦチェック動作以降が繰り返される。
【００３６】
一方、ＡＦリストに上記の条件の放送局が含まれる場合にはステップ１１２の判定において肯定判断が行われる。次に、ミュート処理部４６は、復調部２０に対してミュート指示を送り、スピーカ２４から出力されるオーディオ音を無音状態にする（ステップ１１４）。また、ＡＦ選択部４３は、条件を満たす放送局を選択し、選局処理部４１に指示を送って、この放送局に対応する受信周波数（複数ある場合には、その中から最も受信状態が良好な放送局を選択、あるいは、いずれかを所定の基準（例えばリスト内での配列順）で選択する）をフロントエンド１２に設定し、放送局判定部４４は、新たに受信したこの放送信号に含まれる番組識別データ（ＰＩコード）を取得してＰＩチェックを実施する（ステップ１１６）。そして、放送局判定部４４は、選択した放送局の番組が同一番組であるか否か（選択した放送局が全国放送局であるか否か）を判定する（ステップ１１８）。同一番組の場合には肯定判断が行われ、次に、ミュート処理部４６は、復調部２０に対してミュート解除の指示を送ってスピーカ２４からのオーディオ音出力を有効にする（ステップ１２０）。その後、ステップ１００に戻って、新たに選択された放送局について双方信号の受信動作が行われる。
【００３７】
一方、ＰＩチェックの結果、同一番組でない場合（地方放送局の場合）にはステップ１１８の判定において否定判断が行われる。次に、ＡＦ制限部４５は、ＡＦリストの「Ｒフラグ」を「１」にセットするとともに、「タイマ設定」を初期値「６０」にセットする（ステップ１２２）。これにより、以後６０秒間Ｒフラグが「１」にセットされた状態となる。次に、ＡＦ制限部４５は、ステップ１００で受信していた元の放送信号を受信するためにこの元の放送局の受信周波数をフロントエンド１２に設定し（ステップ１２４）、ミュート処理部４６は、復調部２０に対してミュート解除の指示を送ってスピーカ２４からのオーディオ音出力を有効にする（ステップ１２６）。その後、ステップ１０６に戻って、元の放送信号を受信してＡＦチェック動作以降が繰り返される。
【００３８】
図５は、代替周波数データを取得して放送局を切り替える動作の説明図である。例えば、９４．１ＭＨｚの放送信号を受信中に代替周波数データを取得して、図３に示したＡＦリストが作成された場合を考えるものとする。
【００３９】
この放送信号の受信動作と並行して、ＡＦチェック（図４のステップ１０６）が実施される。図５に示す例では、８９．１ＭＨｚの放送信号の環境（受信状態）が良好であり、受信中の放送信号の受信状態が悪化すると（図４のステップ１０８で肯定判断）、８９．１ＭＨｚの放送信号に切り替えてＰＩチェックが実施される（図４の１１６）。図３に示す例では、この放送局は、取得した代替周波数データでは「タイプ」がＮ（全国放送局）であったが実際にはＲ（地方放送局）であり（図４のステップ１１８で否定判断）、９４．１ＭＨｚの元の放送信号が再度受信される。また、ＡＦリストにおいて、この８９．１ＭＨｚに対応する「Ｒフラグ」が「１」にセットされ、「タイマ設定」が初期値「６０」にセットされる。したがって、以後６０秒間はこのＲフラグの状態が維持され、ＰＩチェックを行う選択対象から除外される。なお、反対に、取得した代替周波数データでは「タイプ」がＲ（地方放送局）であったが実際にはＮ（全国放送局）である場合にも、この受信周波数を対象に含めてＡＦチェック、ＰＩチェック（受信状態が良好な場合）が行われるため、代替周波数データの「タイプ」が誤りであってもこの受信周波数への切り替えが正しく行われる。
【００４０】
このように、本実施形態のラジオ受信機では、代替周波数データに含まれる放送局の種別（タイプ）が誤っている場合であっても、全国放送局と地方放送局の両方の放送局を切替対象に含めることにより、確実に全国放送局に切り替えることができ、放送局の切替精度を向上させることができる。また、選択した放送局が地方放送局であった場合に、この放送局を切替対象から所定期間除外することにより、この放送局が全国放送局であるか地方放送局であるかの判定を頻繁に行わずに済むため、無駄な確認の手間を減らすことができる。さらに、切替対象から除外する期間を所定期間とすることにより、一旦切替対象から除外した放送局を再度切替対象に戻すことができ、同じ周波数で全国放送局と地方放送局とが切り替わる場合であっても確実に全国放送局に切り替えることができ、放送局の切替精度をさらに向上させることができる。
【００４１】
また、ＰＩチェック等を行っているときにミュート処理部４６によって出力音の無音状態を維持しており、これにより、番組内容を確認中に異なる番組の音声が断片的に出力されることを防止することができるとともに、無駄な出力音声の無音状態が繰り返されることを回避することが可能となる。また、バックグラウンド処理ができないシングルチューナ構成を採用した場合であっても、精度よく代替周波数の放送局への切り替えを行うことが可能となる。
【００４２】
なお、本発明は上記実施形態に限定されるものではなく、本発明の要旨の範囲内において種々の変形実施が可能である。例えば、上述した実施形態では、ＲＤＳ放送を受信するラジオ受信機について説明したが、代替周波数データを受信できるものであれば、その他のラジオ受信機、例えばＤＡＢ（Digital Audio Broadcasting）受信機についても本発明を適用することができる。
【産業上の利用可能性】
【００４３】
上述したように、本発明によれば、代替周波数データに含まれる放送局の種別（第１あるいは第２の放送局）が誤っている場合であっても、両方の放送局を切替対象に含めることにより、確実に第１の放送局に切り替えることができ、放送局の切替精度を向上させることができる。
【符号の説明】
【００４４】
１０  アンテナ
１２  フロントエンド（Ｆ／Ｅ）
１４  中間周波増幅器（ＩＦＡ）
１６  Ｓメータ
３０  ＲＳデコーダ
４０  制御部
４１  選局処理部
４２  ＡＦデータ取得部
４３  ＡＦ選択部
４４  放送局判定部
４５  ＡＦ制限部
４６  ミュート処理部
５０  ＡＦリスト格納部
６０  表示部
６２  操作部
【図１】
2013162162.tif 000003
【図２】
2013162162.tif 000004
【図３】
2013162162.tif 000005
【図４】
2013162162.tif 000006
【図５】
2013162162.tif 000007